(57)【特許請求の範囲】
【請求項１】
体液中の成分を測定する成分測定装置に着脱可能な測定用チップであって、
体液を導入するための導入路が形成されたボディと、
前記ボディに保持された導光部材と、
前記ボディの内側で前記導光部材の少なくとも一部よりも基端側に配置された光透過部材と、
前記光透過部材に支持され、前記体液中の成分と反応する試薬と、を備え、
前記導光部材は、前記測定用チップの基端側からの光を受け、前記測定用チップの基端側に向けて光を出射する、
ことを特徴とする測定用チップ。
【請求項２】
請求項１記載の測定用チップにおいて、
前記導光部材は、前記光透過部材よりも先端側で前記光透過部材に向けて光を照射する、
ことを特徴とする測定用チップ。
【請求項３】
請求項１又は２記載の測定用チップにおいて、
前記導光部材は、前記光透過部材よりも基端側の位置から前記光透過部材よりも先端側の位置まで延在する光導入部と、前記光導入部に連なり前記光透過部材よりも先端側で前記光透過部材に対向する対向部とを有する、
ことを特徴とする測定用チップ。
【請求項４】
請求項３記載の測定用チップにおいて、
前記ボディは、円筒形状に形成され、
前記導光部材は、円形リング状に形成され、前記ボディと同軸に配置されている、
ことを特徴とする測定用チップ。
【請求項５】
請求項１〜４のいずれか１項に記載の測定用チップにおいて、
前記試薬は前記光透過部材における先端側の面に設けられ、
前記光透過部材と前記導光部材との間に前記体液が流入可能な反応室が形成されている、
ことを特徴とする測定用チップ。
【請求項６】
体液中の成分を測定する成分測定装置と、前記成分測定装置に着脱可能な測定用チップと、を備えた成分測定システムであって、
前記成分測定装置は、成分測定用の光を出射する発光部と、前記測定用チップからの光を受光する受光部と、前記発光部及び前記受光部が設置された基板とを有し、
前記測定用チップは、
体液を導入するための導入路が形成されたボディと、
前記ボディに保持された導光部材と、
前記ボディの内側で前記導光部材の少なくとも一部よりも基端側に配置された光透過部材と、
前記光透過部材に支持され、前記体液中の成分と反応する試薬と、を備え、
前記導光部材は、前記発光部からの光を受け、前記受光部に向けて光を照射する、
ことを特徴とする成分測定システム。
【発明の詳細な説明】
【技術分野】
【０００１】
本発明は、体液中の所定成分を測定するために使用する測定用チップ及び成分測定システムに関する。
【背景技術】
【０００２】
体液中の所定成分を検出し、その所定成分の量や性質等を測定するために、種々の成分測定システムが用いられている。成分測定システムとしては、例えば、血液中のグルコース濃度を測定する血糖計がある。従来の成分測定システムとしては、成分測定装置と測定用チップとを備え、測定用チップを成分測定装置に装着したうえで、当該測定用チップに血液等の体液を採取し、測定用チップ内の試薬と体液中の成分とを反応させた際の呈色度合を光学的に分析・測定する構成のものがある（例えば、下記特許文献１参照）。
【先行技術文献】
【特許文献】
【０００３】
【特許文献１】特許第３９４９１２６号公報
【発明の概要】
【発明が解決しようとする課題】
【０００４】
上述した光学的な測定方式には、被測定物の透過光を受光する透過光方式と、被測定物からの反射光を受光する反射光方式とがある。なお、特許文献１では、反射光方式が採用されている。
【０００５】
透過光方式を採用した従来の成分測定システムでは、発光部と受光部との間に被測定物を配置する必要があり、測定用チップの形状としては、短冊状のものしか実現されていなかった。すなわち、特許文献１のような立体形状チップにて透過光方式の成分測定をする成分測定システムは実現されていなかった。また、透過光方式を採用した従来の成分測定システムでは、成分測定装置において発光部と受光部を別々の基板に設置させざるを得ず、発光部と受光部とを同一の基板上に設置できる反射光方式と比較してコスト面で不利であった。
【０００６】
本発明はこのような課題を考慮してなされたものであり、透過光方式による成分測定を立体形状チップの形態で実現することができる測定用チップ及び成分測定システムを提供することを目的とする。
【課題を解決するための手段】
【０００７】
上記の目的を達成するため、本発明は、体液中の成分を測定する成分測定装置に着脱可能な測定用チップであって、体液を導入するための導入路が形成されたボディと、前記ボディに保持された導光部材と、前記ボディの内側で前記導光部材の少なくとも一部よりも基端側に配置された光透過部材と、前記光透過部材に支持され、前記体液中の成分と反応する試薬と、を備え、前記導光部材は、前記測定用チップの基端側からの光を受け、前記測定用チップの基端側に向けて光を出射する、ことを特徴とする。
【０００８】
上記のように構成された測定用チップによれば、基端側からの光を受け、光の進行方向を反転させて測定用チップの基端側に向けて光を出射するように構成されているので、透過光方式による成分測定を立体形状チップにて実現することができる。また、導光部材により光の進行方向を反転させるように構成されているので、測定用チップに対して同じ側に発光部と受光部を配置することができる。これにより、成分測定装置において、発光部と受光部とを同一の基板上に設置することができ、その分、透過光方式による成分測定を低コストで実現することができる。
【０００９】
上記の測定用チップにおいて、前記導光部材は、前記光透過部材よりも先端側で前記光透過部材に向けて光を照射してもよい。
【００１０】
これにより、導光部材によって進行方向が反転されて光透過部材を透過した光を成分測定装置の受光部にて受光することができる。
【００１１】
上記の測定用チップにおいて、前記導光部材は、前記光透過部材よりも基端側の位置から前記光透過部材よりも先端側の位置まで延在する光導入部と、前記光導入部に連なり前記光透過部材よりも先端側で前記光透過部材に対向する対向部とを有してもよい。
【００１２】
これにより、成分測定装置の発光部からの光の向きを反転させて、光透過部材の先端側から光を照射する光路を好適に構築することができる。
【００１３】
上記の測定用チップにおいて、前記ボディは、円筒形状に形成され、前記導光部材は、円形リング状に形成され、前記ボディと同軸に配置されていてもよい。
【００１４】
これにより、測定用チップにおいて、回転方向の装着制約をなくすことができ、成分測定装置への測定用チップの装着作業を容易にすることができる。
【００１５】
上記の測定用チップにおいて、前記試薬は前記光透過部材における先端側の面に設けられ、前記光透過部材と前記導光部材との間に前記体液が流入可能な反応室が形成されていてもよい。
【００１６】
これにより、反応室をボディ内の限られたスペースに簡易構成にて構築することができる。
【００１７】
また、本発明は、体液中の成分を測定する成分測定装置と、前記成分測定装置に着脱可能な測定用チップと、を備えた成分測定システムであって、前記成分測定装置は、成分測定用の光を出射する発光部と、前記測定用チップからの光を受光する受光部と、前記発光部及び前記受光部が設置された基板とを有し、前記測定用チップは、体液を導入するための導入路が形成されたボディと、前記ボディに保持された導光部材と、前記ボディの内側で前記導光部材の少なくとも一部よりも基端側に配置された光透過部材と、前記光透過部材に支持され、前記体液中の成分と反応する試薬と、を備え、前記導光部材は、前記発光部からの光を受け、前記受光部に向けて光を照射する、ことを特徴とする。
【発明の効果】
【００１８】
本発明の測定用チップ及び成分測定システムによれば、透過光方式による成分測定を立体形状チップにて実現することができる。
【図面の簡単な説明】
【００１９】
【図１】本発明の実施形態に係る成分測定システムの斜視図である。
【図２】成分測定装置に測定用チップを装着した状態の成分測定システムの先端領域における水平断面による模式的断面図である。
【図３】成分測定装置に測定用チップを装着した状態の成分測定システムの先端領域における鉛直断面による模式的断面図である。
【図４】測定用チップに設けられた導光部材の斜視図である。
【図５】変形例に係る成分測定システムの先端領域の模式的断面図である。
【発明を実施するための形態】
【００２０】
以下、本発明の好適な実施形態について、添付の図面を参照しながら説明する。
【００２１】
図１は、本発明の実施形態に係る成分測定システム１０の斜視図である。この成分測定システム１０は、体液中の成分を測定するための医療機器であり、本実施形態では、人体から採取した血液中のグルコース濃度を測定するための血糖測定システムとして構成されている。なお、本発明は、血糖測定システムに限定されず、血液中の他の成分や他の体液中の成分を測定する装置として構成されてもよい。
【００２２】
成分測定システム１０は、システム本体を構成する成分測定装置１２と、血液（体液）を採取可能に構成された測定用チップ１４とを備える。成分測定システム１０は、測定用チップ１４を成分測定装置１２の測定ヘッド１８に装着し、被測定物（測定用チップ１４に採取され、後述する試薬５４が溶解した血液）に所定の波長の光を照射してその透過光を検出することにより血糖値を測定するように構成されている。
【００２３】
成分測定装置１２は、人手により把持可能な胴体部１６と、胴体部１６の一端（先端部）に設けられた測定ヘッド１８と、測定ヘッド１８から測定用チップ１４を取り外すためのイジェクト機構２０と、各種情報を表示する表示部２２と、各種操作をするための操作部２４とを備える。
【００２４】
胴体部１６は、外郭を構成する筐体２６を有する。筐体２６の内部には、表示部２２の液晶パネルと、成分測定装置１２を制御する演算制御部として機能するメイン配線基板が配置されている。メイン配線基板には、所定の処理を実行するためのマイクロコンピュータ、所定のプログラムが記憶されたＲＯＭやＲＡＭ等の記憶装置、及びその他の電子部品が実装されている。
【００２５】
表示部２２は、演算制御部による制御作用下に、血糖値の測定に必要な情報の入力事項や確認事項、測定結果等を表示する。操作部２４は、オン／オフ操作を行うための電源スイッチ２４ａと、メモリスイッチ２４ｂを有する。筐体２６の下部側には、図示しない電池収納部が設けられ、当該電池収納部に電池が収納されている。この電池により、成分測定装置１２の動作に必要な電力が供給される。
【００２６】
測定ヘッド１８は、胴体部１６の先端面１６ａから先端方向に突出して設けられている。測定ヘッド１８は、測定用チップ１４が着脱可能に装着される装着部として機能する部分であり、本実施形態では円柱状に構成されている。
【００２７】
図２は、成分測定装置１２に測定用チップ１４を装着した状態の成分測定システム１０の先端領域における水平断面による模式的断面図である。なお、図２では、説明に必要な構成部品だけを示し、他の構成部品は図示を省略している。
【００２８】
図２に示すように、成分測定装置１２の先端部には、測定ヘッド１８の軸方向に貫通する光路用の複数の貫通孔が形成されている。本実施形態の場合、具体的には、胴体部１６の先端部に光路用の直線状の第１貫通孔３０が複数形成されており、測定ヘッド１８及び胴体部１６の先端部に光路用の直線状の第２貫通孔３２が複数形成されている。なお、第１貫通孔３０及び第２貫通孔３２は測定ヘッド１８の軸方向に対して傾斜していてもよい。第１貫通孔３０と第２貫通孔３２には、それぞれ必要に応じてレンズが配置されていてもよい。
【００２９】
第１貫通孔３０は、測定ヘッド１８の外側（側方）で胴体部１６の先端面１６ａにて開口している。第２貫通孔３２は、測定ヘッド１８の先端面にて開口している。測定ヘッド１８の背面側には、発光部３４（照射源）及び受光部３６（受光素子）が設置された基板３８が固定されている。本実施形態では２つの発光部３４及び２つの受光部３６が同じ基板３８に設置されている。第１貫通孔３０及び第２貫通孔３２の各々の基端側は、基板３８により閉じられている。
【００３０】
発光部３４は、例えば発光ダイオードであり、第１貫通孔３０に臨む位置に配置されている。受光部３６は、例えばフォトダイオードであり、第２貫通孔３２に臨む位置に配置されている。
【００３１】
なお、発光部３４は１つだけ設けられてもよく、この場合、第１貫通孔３０は発光部３４が配置される箇所に１つだけ形成されていればよい。発光部３４は３つ以上設けられてもよく、この場合、発光部３４と同数の第１貫通孔３０が設けられる。また、受光部３６は１つだけ設けられてもよく、この場合、第２貫通孔３２は受光部３６が配置される箇所に１つだけ形成されていればよい。受光部３６は３つ以上設けられてもよく、この場合、受光部３６と同数の第２貫通孔３２が設けられる。
【００３２】
成分測定装置１２において、少なくとも、光学測定系を構成する先端領域（測定ヘッド１８及びその周辺部位）は、発光部３４による光照射と受光部３６による受光に基づく光学測定を実現するために、遮光性を有する材料により構成されている。遮光性を有する材料としては、例えば、金属や、着色された樹脂が挙げられる。
【００３３】
図３は、成分測定装置１２に測定用チップ１４を装着した状態の成分測定システム１０の先端領域における鉛直断面による模式的断面図である。なお、図３では、説明に必要な構成部品だけを示し、他の構成部品は図示を省略している。
【００３４】
図３において、イジェクト機構２０は、初期位置とイジェクト位置との間を移動可能であり、胴体部１６内に設けられたリターンスプリング４０により初期位置に向けて常に弾性的に付勢されている。イジェクト機構２０は、胴体部１６の外側でユーザの手指を当てるための操作子４２と、胴体部１６の内側で先端方向に延出したプッシュロッド４４とを有する。プッシュロッド４４は、胴体部１６の先端部に設けられた挿通孔４６から出没可能である。
【００３５】
図３の状態から操作子４２を先端方向に押し込んでプッシュロッド４４を前進させると、プッシュロッド４４の先端が測定用チップ１４の基端部を押すことに伴って測定用チップ１４が前進することで、測定用チップ１４が測定ヘッド１８から外れる。操作子４２から手を離すと、筐体２６内に設けられたリターンスプリング４０の弾発力によりイジェクト機構２０は後退して初期位置に復帰する。
【００３６】
図２及び図３に示すように、測定用チップ１４は、ボディ４８と、ボディ４８に保持された導光部材５０と、ボディ４８の内側に配置された光透過部材５２と、光透過部材５２に支持された試薬５４とを備える。
【００３７】
ボディ４８は、中空状の円筒部５５と、円筒部５５の先端面から先端方向に突出したノズル５６とを有する。ノズル５６は、円筒部５５よりも細く形成されており、ボディ４８の中心軸線に沿って、血液を導入（採取）するための導入孔５８（採取孔）が貫通形成されている。血糖測定精度を確保するため、ボディ４８は、遮光性を有する材料（例えば、金属、着色された樹脂等）により構成されているのがよい。
【００３８】
導光部材５０は、導光部材５０の少なくとも一部よりも基端側に配置されており、測定用チップ１４の基端側からの光を受け、光透過部材５２よりも先端側で光透過部材５２に向けて光を照射する光学部材である。具体的に、導光部材５０は、光透過性を有する材料（例えば、アクリル樹脂等の合成樹脂、ガラス等）で構成された部材である。
【００３９】
本実施形態において、導光部材５０は、光透過部材５２よりも基端側の位置から光透過部材５２よりも先端側の位置まで延在する光導入部６０と、光導入部６０に連なり光透過部材５２よりも先端側で光透過部材５２に対向する対向部６２とを有する。光導入部６０は、ボディ４８の軸線に平行に延在している。対向部６２は、ボディ４８の軸線に対して垂直に延在している。
【００４０】
図４に示すように、本実施形態の場合、導光部材５０は円形リング状に形成されている。従って、光導入部６０は中空円筒形状に形成され、対向部６２は円盤状に形成されている。
【００４１】
対向部６２の基端面６３（光透過部材５２に対向する側の面）は、例えばシボ加工により微細な凹凸が形成されていると、光の散乱現象により当該基端面６３が発光面となり、光透過部材５２（及び後述する反応室７４）に向けて好適に光を照射することができる。
【００４２】
図２に示すように、円形リング状の導光部材５０は、ボディ４８と同軸に配置されている。光導入部６０はボディ４８の円筒部５５の内周面に嵌合しており、対向部６２は円筒部５５の先端壁５５ａの基端面に当接している。測定用チップ１４が測定ヘッド１８に完全に装着された状態で、ボディ４８の基端面は全周にわたって成分測定装置１２の胴体部１６の先端面１６ａに当接し、光導入部６０の基端面は第１貫通孔３０に臨む（対向する）。従って、外部からの光が第１貫通孔３０に進入することが阻止されるとともに、発光部３４から出射された光は、第１貫通孔３０を進み、光導入部６０の基端面から導光部材５０内へと導入される。
【００４３】
図２に示すように、円筒部５５の先端壁５５ａの中心部には基端方向に突出する嵌合突起６６が形成されている。導光部材５０の対向部６２の中心位置に形成された嵌合孔６８（図４参照）に当該嵌合突起６６が嵌合している。測定用チップ１４が測定ヘッド１８に装着された状態で、測定ヘッド１８の外周面は導光部材５０の内周面（光導入部６０の内周面）に嵌合する。
【００４４】
図３に示すように、円筒部５５の先端壁５５ａの基端面において嵌合突起６６よりも外側には、複数の凸部７０が形成されている。凸部７０は導光部材５０の対向部６２に形成された孔部７２に挿入されている。
【００４５】
図２及び図３に示すように、光透過部材５２は、導光部材５０の対向部６２よりも基端側に配置されている。対向部６２と光透過部材５２との間には血液が流入可能な反応室７４が形成されている。反応室７４は薄い層状の空間である。本実施形態の場合、光透過部材５２は、円盤状であり、その外周縁が導光部材５０の光導入部６０の内周面に全周にわたって当接している。これにより、反応室７４に導入された血液が導光部材５０と光透過部材５２との間を抜けて光透過部材５２の背面側（基端側）に漏れ出ることが抑制される。
【００４６】
図３において、凸部７０には小突起７１が形成されており、光透過部材５２に設けられた複数の孔部に小突起７１が嵌合することにより、光透過部材５２が支持されている。
【００４７】
光透過部材５２は、透明材料により構成されている。透明材料としては、例えば、ポリメチルメタアクリレート、ポリスチレン、環状ポリオレフィン、ポリカーボネート等の透明性の良好な樹脂や、ガラス等が挙げられる。
【００４８】
嵌合突起６６の基端面には、導入孔５８を囲んで複数の凸部７８が周方向に間隔をおいて複数設けられている。複数の凸部７８は、光透過部材５２、又は光透過部材５２に塗布された試薬５４に当接している。導入孔５８と反応室７４とは、周方向に隣接する凸部７８間に形成された隙間を介して連通している。従って、血液は、導入孔５８から凸部７８間の隙間を介して反応室７４へと流入可能である。
【００４９】
試薬５４は、血液中のグルコースと反応することで発色する物質（酵素等）を含み、光透過部材５２の先端側の面（対向部６２側の面）に塗布されている。試薬５４は光透過部材５２の先端側の面の全体に塗布されていてもよく、部分的に塗布されていてもよい。反応室７４に血液が流入すると、試薬５４が血液に溶解し、試薬５４が血液中のグルコースと反応する。
【００５０】
上記のように構成された測定用チップ１４は、使用前においては、図１に示す包装体８０に収納されている。包装体８０は、開口部を有する有底円筒形のケース８２と、ケース８２の開口部を封止する図示しないフィルムシールとからなる。
【００５１】
本実施形態に係る成分測定システム１０は、基本的には以上のように構成されるものであり、以下、その作用及び効果について説明する。
【００５２】
成分測定システム１０を用いて血糖値を測定するには、まず、成分測定装置１２の電源スイッチ２４ａを押して電源をオンにする。次に、測定ヘッド１８に測定用チップ１４を装着する。具体的には、包装体８０の図示しないフィルムシールを剥がし、測定ヘッド１８に測定用チップ１４をケース８２ごと装着し、その後ケース８２を測定ヘッド１８から抜き取る。これにより、図２に示すように測定用チップ１４が測定ヘッド１８に装着された状態となる。
【００５３】
測定用チップ１４が測定ヘッド１８に装着されると、成分測定装置１２では、発光部３４が所定波長の光の照射を開始し、血液を採取する前の測定用チップ１４から戻ってきた光を受光部３６にて検出する。この場合、具体的には、発光部３４から出射された光は、図２において点線の矢印Ｌで示すように、第１貫通孔３０を通り、光導入部６０の基端面から導光部材５０に導入され、導光部材５０の対向部６２から反応室７４及び光透過部材５２に向けて照射され、その透過光が第２貫通孔３２を介して受光部３６へと到達する。成分測定装置１２では、受光部３６がこのとき検出した透過光強度、すなわち血液の採取前の透過光強度（第１の透過光強度）を測定する。
【００５４】
次に、被検者の体の一部（例えば、手指）を図示しない穿刺器具で穿刺し、皮膚上に少量の血液を流出させる。そして、流出した血液に、測定用チップ１４のノズル５６の先端を接触させる。そうすると、血液が毛細管現象によって導入孔５８へ流入し、さらに複数の凸部７８間の隙間を介して反応室７４へと流入し、反応室７４内に広がる。この場合、導入孔５８に連なって形成された凸部７８が光透過部材５２又は試薬５４に接触しているので、血液は当該凸部７８を伝って反応室７４へと円滑に導かれる。
【００５５】
反応室７４へと血液が流入すると、試薬５４が血液に溶解し、血液に含まれるグルコースが試薬５４と反応を開始してグルコース濃度に応じて呈色する。そして、試薬５４が溶解された血液に、発光部３４を光源とし導光部材５０を介して伝送された光が照射され、その透過光が受光部３６にて検出され、透過光強度（透過光量）に基づき呈色濃度を測定する。
【００５６】
具体的には、試薬５４と血液中のグルコースとの反応が進んで透過光強度が大きく変化した時点から所定時間経過後の透過光強度（第２の透過光強度）を測定する。そして、第１の透過光強度と第２の透過光強度とから吸光度を求め、その吸光度に基づいて血糖値を演算・計測する。計測された血糖値は、表示部２２に表示される。
【００５７】
以上のように、本実施形態に係る成分測定システム１０によれば、光透過部材５２よりも基端側から出射された測定用の光を導入し、光の進行方向を反転させて光透過部材５２に向けて光を出射するように構成されている。このため、透過光方式による成分測定を、測定用チップ１４のような立体形状チップにて実現することができる。
【００５８】
また、測定用チップ１４に設けられた導光部材５０により光の進行方向を反転させるように構成されているので、測定用チップ１４に対して同じ側に発光部３４と受光部３６を配置することができる。よって、成分測定装置１２において、発光部３４と受光部３６とを同一の基板３８上に設置することができ、その分、透過光方式による成分測定を低コストで実現することができる。
【００５９】
本実施形態の場合、導光部材５０は、光透過部材５２よりも基端側の位置から光透過部材５２よりも先端側の位置まで延在する光導入部６０と、光導入部６０に連なり光透過部材５２よりも先端側で光透過部材５２に対向する対向部６２とを有する。この構成により、成分測定装置１２の発光部３４からの光の向きを反転させて、光透過部材５２の先端側から光を照射する光路を好適に構築することができる。
【００６０】
本実施形態の場合、ボディ４８は円筒形状に形成され、導光部材５０は円形リング状に形成されボディ４８と同軸に配置されている。この構成により、測定用チップ１４を測定ヘッド１８に装着すると、測定ヘッド１８に対する測定用チップ１４の回転方向の位置にかかわらず、発光部３４から出射される光の光路である第１貫通孔３０に臨む位置（第１貫通孔３０の正面位置）に光導入部６０を配置できるとともに、光透過部材５２を挟んで第２貫通孔３２を臨む位置（第２貫通孔３２の正面位置）に対向部６２を配置できる。すなわち、測定用チップ１４において、回転方向の装着制約をなくすことができ、成分測定装置１２への測定用チップ１４の装着作業を容易にすることができる。
【００６１】
なお、図５に示す成分測定システム１０ａのように、先端方向に向かって縮径するテーパ状に形成された測定ヘッド１８ａ及び測定用チップ１４ａが採用されてもよい。具体的には、測定ヘッド１８ａの外周部の外径が先端方向に向かって減少しており、測定用チップ１４ａの導光部材５０ａ（光導入部６０ａ）の内径が先端方向に向かって減少している。このような構成により、測定ヘッド１８ａと測定用チップ１４ａとがテーパ嵌合するため、測定ヘッド１８ａに対する測定用チップ１４ａの着脱が容易である。
【００６２】
測定用チップ１４、１４ａにおいて、円形リング状に形成された導光部材５０、５０ａに代えて、ボディ４８の内側において周方向の全部ではなく一部にのみ設けられるように形成された導光部材が設けられてもよい。この場合、周方向に間隔をおいて複数の導光部材が設けられてもよい。なお、このように導光部材が周方向の一部にのみ設けられる構成の場合、第１貫通孔３０及び第２貫通孔３２の正面位置に導光部材が配置されるように、測定用チップ１４、１４ａの回転方向の位置を調整して測定ヘッド１８、１８ａに装着する必要がある。
【００６３】
成分測定システム１０（図２）において、発光部３４から出射されて受光部３６へと至る光の経路は、矢印Ｌで示す方向とは逆方向であってもよい。すなわち、成分測定システム１０において、発光部３４と受光部３６の位置を置換し、発光部３４から出射された光を、第２貫通孔３２を介して光透過部材５２へと導き、光透過部材５２を透過した光を、導光部材５０及び第１貫通孔３０を介して受光部３６へと導くように構成してもよい。成分測定システム１０ａ（図５）についても同様に、発光部３４と受光部３６の位置を置換し、発光部３４から出射されて受光部３６へと至る光の経路を逆方向としてもよい。
【００６４】
上記において、本発明について好適な実施形態を挙げて説明したが、本発明は前記実施形態に限定されるものではなく、本発明の要旨を逸脱しない範囲において、種々の改変が可能なことは言うまでもない。
【符号の説明】
【００６５】
１０、１０ａ…成分測定システム        １２…成分測定装置
１４、１４ａ…測定用チップ            ４８…ボディ
５０、５０ａ…導光部材                ５２…光透過部材
５４…試薬                            ６０…光導入部
６２…対向部
【図１】
0006430845.tif 000002
【図２】
0006430845.tif 000003
【図３】
0006430845.tif 000004
【図４】
0006430845.tif 000005
【図５】
0006430845.tif 000006